【事件の表示】
　特許第３１９０５６５号「吸収性物品の包装構造」の請求項１〜３に係る特許に対する特許異議の申立てについて、次のとおり決定する。
【結　論】
　訂正を認める。
　特許第３１９０５６５号の請求項１〜３に係る特許を維持する。
【理　由】
１．手続の経緯
　本件特許第３１９０５６５号の請求項１〜３に係る発明については、平成８年３月２６日に特許出願され、平成１３年５月１８日に特許権の設定登録がされた。その後、特許異議申立人 田中幹代により特許異議申立てがされ、取消しの理由が通知され、その指定期間内である平成１４年４月２５日に訂正請求がなされたものである。
　
２．訂正請求について
（１）訂正の内容
訂正事項ａ
　請求項１の
「本体及び該本体の左右両側に設けられた左右一対のウイング部を有し、該本体の非肌当接面側に本体粘着部が設けられ且つ該ウイング部の非肌当接面側にウイング粘着部が設けられている吸収性物品と、これを個装する包装材とからなり、該本体粘着部と該包装材の内面とを剥離自在に粘着させてなる吸収性物品の包装構造において、
　上記ウイング部は、肌当接面側に向けて折り曲げられており、
　上記吸収性物品は、上記本体粘着部が上記包装材の内面に当接するように該包装材に粘着されており、
　上記包装材は、その左右両側縁部及び前端縁が、上記本体の両側縁及び前端縁よりも外方に延出していると共に、上記本体の後端縁側が当接された部分の外面に剥離処理部が設けられており、
　上記吸収性物品と上記包装材とは、後端縁側から肌当接面側を内側として順次折曲されて折り重ねられており、
　上記剥離処理部と上記ウイング粘着部とは、剥離自在に粘着されている、
　ことを特徴とする吸収性物品の包装構造。」を、
「本体及び該本体の左右両側に設けられた左右一対のウイング部を有し、該本体の非肌当接面側に本体粘着部が設けられ且つ該ウイング部の非肌当接面側にウイング粘着部が設けられている吸収性物品と、これを個装する包装材とからなり、該本体粘着部と該包装材の内面とを剥離自在に粘着させてなる吸収性物品の包装構造において、
　上記ウイング部は、肌当接面側に向けて折り曲げられており、
　上記吸収性物品は、上記本体粘着部が上記包装材の内面に当接するように該包装材に粘着されており、
　上記包装材は、その左右両側縁部及び前端縁が、上記本体の両側縁及び前端縁よりも外方に延出していると共に、上記本体の後端縁側の非肌当接面側が当接された部分の外面に剥離処理部が設けられており、
　上記吸収性物品と上記包装材とは、後端縁側から肌当接面側を内側として順次一体に折曲されて折り重ねられており、
　上記剥離処理部と上記ウイング粘着部とは、上記吸収性物品と上記包装材とが上記後端縁側から２回折り重ねられて、剥離自在に粘着されている、
　ことを特徴とする吸収性物品の包装構造。」と訂正する。
　
訂正事項ｂ
　明細書の段落番号【０００８】の「上記本体の後端縁側が当接された部分の外面に剥離処理部が設けられており、上記吸収性物品と上記包装材とは、後端縁側から肌当接面側を内側として順次折曲されて折り重ねられており、上記剥離処理部と上記ウイング粘着部とは、剥離自在に粘着されている、」（特許公報２頁４欄３７〜４１行参照）を、
「上記本体の後端縁側の非肌当接面側が当接された部分の外面に剥離処理部が設けられており、上記吸収性物品と上記包装材とは、後端縁側から肌当接面側を内側として順次一体に折曲されて折り重ねられており、上記剥離処理部と上記ウイング粘着部とは、上記吸収性物品と上記包装材とが上記後端縁側から２回折り重ねられて、剥離自在に粘着されている、」と訂正する。
　
訂正事項ｃ
　明細書の段落番号【００１６】の「上記本体３の後端縁３ｃ側が当接された部分の外面に剥離処理部５５ａが設けられており、上記生理用ナプキン２と上記包装材５とは、後端縁３ｃ側から肌当接面３１側を内側として順次折曲されて折り重ねられており、上記剥離処理部５５ａと上記ウイング粘着部４１とは、剥離自在に粘着されている。」（特許公報３頁６欄２８〜３４行参照）を、
「上記本体３の後端縁３ｃ側の非肌当接面側が当接された部分の外面に剥離処理部５５ａが設けられており、上記生理用ナプキン２と上記包装材５とは、後端縁３ｃ側から肌当接面３１側を内側として順次一体に折曲されて折り重ねられており、上記剥離処理部５５ａと上記ウイング粘着部４１とは、上記生理用ナプキン２と上記包装材５とが上記後端縁３ｃ側から２回折り重ねられて、剥離自在に粘着されている。」と訂正する。
　
（２）訂正の適否
　訂正事項ａは、包装材に設けられる剥離処理部の位置に関して「上記本体の後端縁側が当接された部分の外面」を「上記本体の後端縁側の非肌当接面側が当接された部分の外面」と限定し、また、包装構造の状態に関して「上記吸収性物品と上記包装材とは、…順次折曲されて折り重ねられており」を「上記吸収性物品と上記包装材とは、…順次一体に折曲されて折り重ねられており」と限定すると共に「上記剥離処理部と上記ウイング粘着部とは、剥離自在に粘着されている」を「上記剥離処理部と上記ウイング粘着部とは、上記吸収性物品と上記包装材とが上記後端縁側から２回折り重ねられて、剥離自在に粘着されている」と限定するものであるが、本訂正は包装材に設けられる剥離処理部の位置及び包装構造の状態を限定するものであるので、特許請求の範囲の減縮を目的とするものである。そして、訂正後の包装材に設けられる剥離処理部の位置に関しては、願書に添付した明細書（以下、特許明細書という。）の段落番号【００２０】に「上記剥離処理部５５ａは、上記包装材５の外面５５のうち、上記後方端部３６が当接された部分の外面に、剥離処理を施すことにより形成されている。」（特許公報４頁７欄１８〜２０行）と記載されており、また、訂正後の包装構造の状態に関しては、特許明細書の段落番号【００２３】に「上記後方端部３６を、上記包装材５と一体に、上記後方部３５上に折り重ね、更に、上記後方端部３６が折り重ねられた上記後方部３５を、上記包装材５と一体に、上記ウイング折曲部３４上に折り重ねた後、上記前方部３３を、上記包装材５と一体に、上記後方部３５及び上記後方端部３６が折り重ねられた上記ウイング折曲部３４上に折り重ねる。」（特許公報４頁８欄９〜１５行）と記載されていることから、本訂正は特許明細書に記載した事項の範囲内のものである。
　
　訂正事項ｂ及びｃは、訂正事項ａに伴って、対応する発明の詳細な説明の記載を訂正するものであるから、いずれも明りょうでない記載の釈明を目的とするものであり、また願書に添付した明細書に記載した事項の範囲内のものである。
　
　そして、上記訂正事項ａ〜ｃのいずれの訂正も、実質上特許請求の範囲を拡張し、又は変更するものではない。
　
　以上のとおりであるから、上記訂正は、特許法第１２０条の４第２項及び同条第３項において準用する特許法第１２６条第２項から第４項までの規定に適合するので、当該訂正を認める。
　
３．特許異議申立てについて
(1) 申立ての理由の概要
　特許異議申立人は、甲第１号証及び参考資料１〜３を提出して、本件特許の（訂正前の）請求項１〜３に係る発明は、甲第１号証に記載された発明であり（特許法第２９条第１項第３号）、また、甲第１号証に記載された発明に基いてその出願前に当業者が容易に発明をすることができたものである（特許法第２９条第２項）から、本件特許は特許法第２９条の規定に違反してされたものであり、特許法第１１３条第１項第２号の規定に該当するので取り消されるべきものである旨を主張している。
　
(2) 本件特許発明
　本件特許の請求項１〜３に係る発明（以下、それぞれ本件発明１〜３という。）は、訂正された特許明細書の特許請求の範囲に記載された事項により特定されるとおりのものである。（上記２．（１）訂正事項ａ参照。）
　
(3) 特許異議申立人が提出した甲第１号証及び参考資料１〜３の記載
(i) 甲第１号証（実願平５−７４６２１号（実開平７−３９８２０号）のＣＤ−ＲＯＭ）には、以下の事項が記載されている。
Ａ．「透液性表面シートと不透液性裏面シートとの間に吸液性コアを介在させてなるナプキン本体の左右両側に翼部を形成し、前記本体と翼部各々の外面に設けた着用ショーツへの粘着性止着部を剥離シートで被覆してなる生理用ナプキンにおいて、
前記翼部を前記本体の内面側へ折曲し、
前記本体の止着部を被覆する剥離シートを本体の両側縁と両端縁とから延出させ、一方の端縁において延出させた剥離シートを前記内面側へ折曲することにより、その内面側に位置する剥離シートで前記翼部の止着部を被覆してあることを特徴とする前記生理用ナプキン。」（実用新案登録請求の範囲）
Ｂ．「この生理用ナプキンは…すべての止着部が同時に露出してしまい、ショーツへ止着する前に本体と翼部の止着部どうしが貼着して殆ど剥離不能となり、ショーツへの止着が不可能な事態に陥るという問題がある。…そこで、この考案は、本体の止着部を被覆する剥離シートの一端を本体の内面側へ折曲し、その折曲した部分で翼部の止着部を被覆することにより前記問題を解決することを課題にしている。」（５頁１７〜２７行）
Ｃ．「翼部を本体の内面側へ折曲し、本体の止着部を被覆する剥離シートを本体の両側縁と両端縁とから延出させ、一方の端縁において延出させた剥離シートを前記内面側へ折曲することにより、その内面側に位置する剥離シートで翼部の止着部を被覆してあることがこの考案の特徴である。」（６頁９〜１２行）
Ｄ．「図２は、図１の生理用ナプキン１を開封し、長手方向へ伸展して示す部分破断斜視図である。図において、生理用ナプキン１は、ナプキン４と剥離シート５とによって構成され、ナプキン４は…本体２、および本体２の長手方向ほぼ中央部においてフラップ９から側方へ延出する表裏面シート１０，１１が互いに接合して形成する一対の翼部１４を有する。ただし図の翼部１４は、本体２の側縁１９，２０に沿って内面側へ折曲し、肌当接面に重ねてある。ナプキン４は、本体２と翼部１４の各々の外面に着用ショーツへ剥離可能に貼着するための粘着性止着部１５，１６を有する。剥離シート５は、本体２の前後端縁１７，１８と両側縁１９，２０とから延出する矩形のものであって、後端縁１８には前端縁１７より長い延出部Ｄを有する。剥離シート５は止着部１５，１６に対し仮着した状態にあるものであって、止着部１５，１６に接触する部位とその周辺とに界面活性剤を塗布して剥離を容易にしてあるが、その塗布域の図示は省略してある。
…
　図２の状態の生理用ナプキン１を図１の状態にするには、次のようにする。まず、剥離シート５の延出部Ｄを折曲線Ａに沿い矢印Ｅ１に従って折曲し、肌当接面へ重ねる。延出部Ｄの長さは、折曲したときに翼部１４へ届くことがないようにしてあり、延出部Ｄの自由端は仮想線Ｇの位置にくる。次に、本体２を剥離シート５とともに仮想線Ｇと翼部１４との間に位置する折曲線Ｂに沿い矢印Ｅ２に従って肌当接面側へ折曲することにより、延出部Ｄの外面を止着部１６へ当てがい剥離可能に仮着する。さらに、本体２を剥離シート５とともに前端縁１７と翼部１４との間に位置する折曲線Ｃに沿い矢印Ｅ３に従って既に折曲してある後端部分に重ね、その部分の剥離シート５の外面へテープ８を止着する。最後に本体２の側縁１９，２０の外方で重なり合う剥離シート５にエンボス加工を施して剥離可能に閉じる。」（７頁３行〜８頁１行）
Ｅ．「ナプキン本体の側縁から延出する剥離シートを重ね合わせて接合することにより、その剥離シートでナプキンを包装することができ、別体の包装紙や個袋が不要になる。」（９頁１０〜１２行）
　
　上記摘示事項、及び図１〜図４からみて、甲第１号証には、
「本体２、および本体２の長手方向ほぼ中央部において側方へ延出する一対の翼部１４を有し、本体２と翼部１４の各々の外面に粘着性止着部１５，１６を有するナプキン４と、止着部１５，１６に対し仮着した状態にある剥離シート５であって、止着部１５，１６に接触する部位とその周辺とに界面活性剤を塗布して剥離を容易にしてある剥離シート５とによって構成される生理用ナプキン１において、
当該翼部１４は、内面側へ折曲し、肌当接面に重ねてあり、
当該剥離シート５は、本体２の前後端縁１７，１８と両側縁１９，２０とから延出する矩形のものであって、後端縁１８には前端縁１７より長い延出部Ｄを有する生理用ナプキン１であって、
剥離シート５の延出部Ｄを折曲線Ａに沿い折曲し、肌当接面へ重ね、次に、本体２を剥離シート５とともに折曲線Ｂに沿い肌当接面側へ折曲することにより、延出部Ｄの外面を止着部１６へ当てがい剥離可能に仮着し、さらに、本体２を剥離シート５とともに折曲線Ｃに沿い既に折曲してある後端部分に重ねることにより、図１の状態にする生理用ナプキン１」の考案が記載されているものと認められる。
　
(ii) 参考資料１（実願昭５０−１４８５８０号（実開昭５１−７９９９４号）のマイクロフィルム）には以下の事項が記載されている。
Ａ．「ナプキン(１)は第６図に示す様に４つ折りにして圧縮してもよく、又、第７図に示す様にロール状に巻いて圧縮してもよく」（５頁１３〜１５行）
Ｂ．第６図には、ナプキン(１)が４層構造に折り曲げられている状態が示されており、第７図にはナプキン(１)がロール状に巻かれた後に圧縮されたものが図示されている。
　
(iii) 参考資料２（実願昭５８−４１１１１号（実開昭５９−１４５９１５号）のマイクロフィルム）には以下の事項が記載されている。
Ａ．第４図には、ナプキン本体１とビニールシート２とを接着させて重ね合わせ、前記ナプキン本体１とビニールシート２とが４層構造に折り重ねられた状態が図示されている。
　
(iv) 参考資料３（実願平５−３５３７１号（実開平７−２８５２８号）のＣＤ−ＲＯＭ）には以下の事項が記載されている。
Ａ．図１２には、個装袋本体１と体液吸収体２とが、貼着部１２を介して重ね合わされ、前記個装袋本体１と体液吸収体２とが、４層構造に折り重ねられたものが図示されている。
　
(4) 判断
(i) 本件発明１について
(a) 特許法第２９条第１項第３号について
　訂正前の請求項１に係る発明と甲第１号証に記載された考案を対比すると、甲第１号証に記載された考案の「翼部１４」、「本体２と翼部１４の各々の外面」、「粘着性止着部１５」、「粘着性止着部１６」、「ナプキン４」、「剥離シート５」（Ｅに摘示したように、甲第１号証に記載された考案の剥離シートはナプキンの包装材である。）、「（止着部１６と剥離可能に仮着される）延出部Ｄの外面」、「図１の状態の生理用ナプキン１」は、それぞれ、訂正前の請求項１に係る発明の「ウイング部」、「本体とウイング部の各々の非肌当接面」、「本体粘着部」、「ウイング粘着部」、「吸収性物品」、「包装材」、「本体の後端縁側が当接された部分の外面」、「吸収性物品の包装構造」に相当するものと認められるので、両者は、「本体及び該本体の左右両側に設けられた左右一対のウイング部を有し、該本体の非肌当接面側に本体粘着部が設けられ且つ該ウイング部の非肌当接面側にウイング粘着部が設けられている吸収性物品と、これを個装する包装材とからなり、該本体粘着部と該包装材の内面とを剥離自在に粘着させてなる吸収性物品の包装構造において、
　上記ウイング部は、肌当接面側に向けて折り曲げられており、
　上記吸収性物品は、上記本体粘着部が上記包装材の内面に当接するように該包装材に粘着されており、
　上記包装材は、その左右両側縁部及び前端縁が、上記本体の両側縁及び前端縁よりも外方に延出していると共に、上記本体の後端縁側が当接された部分の外面に剥離処理部が設けられており、
　上記吸収性物品と上記包装材とは、後端縁側から肌当接面側を内側として順次折曲されて折り重ねられており、
　上記剥離処理部と上記ウイング粘着部とは、剥離自在に粘着されている吸収性物品の包装構造。」の点で一致する。
　しかしながら、上述したように、訂正請求に基いて、包装材に設けられる剥離処理部の位置を「上記本体の後端縁側の非肌当接面側が当接された部分の外面」に限定し、包装構造の状態、特に剥離処理部とウイング粘着部との粘着状態に関して「上記吸収性物品と上記包装材とが上記後端縁側から２回折り重ねられて、剥離自在に粘着されている」と限定する訂正が認められ、本件発明１は、包装材に設けられる剥離処理部の位置及び包装構造の状態について、これらの限定を有する吸収性物品の包装構造となった。
　そして、甲第１号証には、包装材に設けられる剥離処理部の位置が「本体の後端縁側の非肌当接面側が当接された部分の外面」であり（相違点１）、剥離処理部とウイング粘着部との粘着状態が「吸収性物品と包装材とが後端縁側から２回折り重ねられ、剥離自在に粘着されている」包装構造（相違点２）は記載されていない。
　したがって、本件発明１は甲第１号証に記載された考案ではない。
　
(b) 特許法第２９条第２項について
　本件発明１と甲第１号証に記載された考案は前述の点で相違する。
　そこで、この相違点を検討すると、甲第１号証に記載された考案は、前記Ａ及びＣに摘示したように「一方の端縁において延出させた剥離シートを前記内面側へ折曲することにより、その内面側に位置する剥離シートで翼部の止着部を被覆してある」点をその特徴とするものであって、甲第１号証には、包装材に設けられる剥離処理部の位置が、一方の端縁において延出させた剥離シートを内面側へ折曲した際の内面側、すなわち、本体の後端縁側の肌当接面側が当接された部分の外面側であることが明確に記載されており、また、剥離処理部とウイング粘着部との粘着状態に関して、一方の端縁において延出させた剥離シートを内面側へ折曲することにより…翼部の止着部を被覆することにより粘着させる、すなわち、剥離処理部とウイング粘着部とは、吸収性物品と包装材とが後端縁側から１回折り重ねられて、剥離自在に粘着されていることが明確に記載されている。
　このように、本件発明１と甲第１号証に記載された考案は、甲第１号証に記載された考案の特徴とする事項おいて相違するものである。そして、甲第１号証には、包装材に設けられる剥離処理部の位置を本体の後端縁側の非肌当接面側が当接された部分の外面とする点、剥離処理部とウイング粘着部との粘着状態を、吸収性物品と包装材とが後端縁側から２回折り重ねられ、剥離自在に粘着されているようにする点は示唆されていない。そうしてみると、本件発明１は、甲第１号証に記載された考案に基いて当業者が容易に想到し得ると認めることはできない。
　
　また、参考文献１〜３には生理用ナプキンを４層構造に折り重ねる構造が開示されており、生理用ナプキンを個別に包装する際に、全体をコンパクトにするために折り回数を多くすることは、当業者において周知の技術と認められる。しかし、このような周知技術を甲第１号証に記載された考案に適用したとしても、本件発明１と甲第１号証に記載された考案は前述の点で相違する以上、本件発明１は、甲第１号証に記載された考案及び周知技術に基いて当業者が容易に想到し得ると認めることはできない。
　
　したがって、本件発明１は、甲第１号証に記載された考案に基いて当業者が容易に発明をすることができたものではない。
　
(ii) 本件発明２及び３について
　本件発明２及び３は、本件発明１をさらに限定するものであるから、上記本件発明１についての判断と同様の理由により、甲第１号証に記載された考案ではなく、また、甲第１号証に記載された考案に基いてその出願前に当業者が容易に発明をすることができたものであるとはいえない。
　
４．むすび
　以上のとおりであるから、特許異議申立ての理由及び証拠によっては、本件特許の請求項１〜３に係る発明の特許を取り消すことはできない。
　
　また、他に取り消すべき理由を発見しない。
　
　よって、結論のとおり決定する。
【異議決定日】
平成１４年４月３０日（２００２．４．３０）
【訂正の要旨】
訂正の要旨
・訂正事項１
　特許請求の範囲の減縮を目的として、特許請求の範囲の請求項１が「本体及び該本体の左右両側に設けられた左右一対のウイング部を有し、該本体の非肌当接面側に本体粘着部が設けられ且つ該ウイング部の非肌当接面側にウイング粘着部が設けられている吸収性物品と、これを個装する包装材とからなり、該本体粘着部と該包装材の内面とを剥離自在に粘着させてなる吸収性物品の包装構造において、
　上記ウイング部は、肌当接面側に向けて折り曲げられており、
　上記吸収性物品は、上記本体粘着部が上記包装材の内面に当接するように該包装材に粘着されており、
　上記包装材は、その左右両側縁部及び前端縁が、上記本体の両側縁及び前端縁よりも外方に延出していると共に、上記本体の後端縁側が当接された部分の外面に剥離処理部が設けられており、
　上記吸収性物品と上記包装材とは、後端縁側から肌当接面側を内側として順次折曲されて折り重ねられており、
　上記剥離処理部と上記ウイング粘着部とは、剥離自在に粘着されている、
　ことを特徴とする吸収性物品の包装構造。」とあるのを、
「本体及び該本体の左右両側に設けられた左右一対のウイング部を有し、該本体の非肌当接面側に本体粘着部が設けられ且つ該ウイング部の非肌当接面側にウイング粘着部が設けられている吸収性物品と、これを個装する包装材とからなり、該本体粘着部と該包装材の内面とを剥離自在に粘着させてなる吸収性物品の包装構造において、
　上記ウイング部は、肌当接面側に向けて折り曲げられており、
　上記吸収性物品は、上記本体粘着部が上記包装材の内面に当接するように該包装材に粘着されており、
　上記包装材は、その左右両側縁部及び前端縁が、上記本体の両側縁及び前端縁よりも外方に延出していると共に、上記本体の後端縁側の非肌当接面側が当接された部分の外面に剥離処理部が設けられており、
　上記吸収性物品と上記包装材とは、後端縁側から肌当接面側を内側として順次一体に折曲されて折り重ねられており、
　上記剥離処理部と上記ウイング粘着部とは、上記吸収性物品と上記包装材とが上記後端縁側から２回折り重ねられて、剥離自在に粘着されている、
　ことを特徴とする吸収性物品の包装構造。」と訂正する。
・訂正事項２
　明りょうでない記載の釈明を目的として、明細書の段落番号【０００８】の「上記本体の後端縁側が当接された部分の外面に剥離処理部が設けられており、上記吸収性物品と上記包装材とは、後端縁側から肌当接面側を内側として順次折曲されて折り重ねられており、上記剥離処理部と上記ウイング粘着部とは、剥離自在に粘着されている、」（特許公報２頁４欄３７〜４１行参照）を、「上記本体の後端縁側の非肌当接面側が当接された部分の外面に剥離処理部が設けられており、上記吸収性物品と上記包装材とは、後端縁側から肌当接面側を内側として順次一体に折曲されて折り重ねられており、上記剥離処理部と上記ウイング粘着部とは、上記吸収性物品と上記包装材とが上記後端縁側から２回折り重ねられて、剥離自在に粘着されている、」と訂正する。
・訂正事項３
　明りょうでない記載の釈明を目的として、明細書の段落番号【００１６】の「上記本体３の後端縁３ｃ側が当接された部分の外面に剥離処理部５５ａが設けられており、上記生理用ナプキン２と上記包装材５とは、後端縁３ｃ側から肌当接面３１側を内側として順次折曲されて折り重ねられており、上記剥離処理部５５ａと上記ウイング粘着部４１とは、剥離自在に粘着されている。」（特許公報３頁６欄２８〜３４行参照）を、「上記本体３の後端縁３ｃ側の非肌当接面側が当接された部分の外面に剥離処理部５５ａが設けられており、上記生理用ナプキン２と上記包装材５とは、後端縁３ｃ側から肌当接面３１側を内側として順次一体に折曲されて折り重ねられており、上記剥離処理部５５ａと上記ウイング粘着部４１とは、上記生理用ナプキン２と上記包装材５とが上記後端縁３ｃ側から２回折り重ねられて、剥離自在に粘着されている。」と訂正する。
（５４）【発明の名称】
吸収性物品の包装構造
（５７）【特許請求の範囲】
　【請求項１】　本体及び該本体の左右両側に設けられた左右一対のウイング部を有し、該本体の非肌当接面側に本体粘着部が設けられ且つ該ウイング部の非肌当接面側にウイング粘着部が設けられている吸収性物品と、これを個装する包装材とからなり、該本体粘着部と該包装材の内面とを剥離自在に粘着させてなる吸収性物品の包装構造において、
　上記ウイング部は、肌当接面側に向けて折り曲げられており、
　上記吸収性物品は、上記本体粘着部が上記包装材の内面に当接するように該包装材に粘着されており、
　上記包装材は、その左右両側縁部及び前端縁が、上記本体の両側縁及び前端縁よりも外方に延出していると共に、上記本体の後端縁側
の非肌当接面側
　上記吸収性物品と上記包装材とは、後端縁側から肌当接面側を内側として順次
一体に
　上記剥離処理部と上記ウイング粘着部とは、
上記吸収性物品と上記包装材とが上記後端縁側から２回折り重ねられて、
　ことを特徴とする吸収性物品の包装構造。
　【請求項２】　上記包装材に粘着された上記吸収性物品は、その長手方向において、上記ウイング部が折り曲げられているウイング折曲部、該ウイング折曲部の前方に位置する前方部、該ウイング折曲部の後方に位置する後方部、及び該後方部の更に後方に位置する後方端部に区分されており、
　上記吸収性物品と上記包装材とは、４層構造に折り重ねられていることを特徴とする請求項１記載の吸収性物品の包装構造。
　【請求項３】　上記包装材は、その左右両側縁部及び前端縁において封止されていることを特徴とする請求項１又は２記載の吸収性物品の包装構造。
【発明の詳細な説明】
　【０００１】
　【発明の属する技術分野】
　本発明は、吸収性物品の包装構造に関し、特に、ウイング部付きの吸収性物品を、そのズレ止め性を低下させることなく、且つ取り出し性良好に、またコンパクトに個装してなる吸収性物品の包装構造に関する。
　【０００２】
　【従来の技術及び発明が解決しようとする課題】
　吸収性物品としては、本体及び該本体の左右両側に設けられた左右一対のウイング部を有する生理用ナプキン等、ウイング部を有するものが広く用いられている。
　従来、このようなウイング部を有する生理ナプキン等を個装する包装構造においては、本体の粘着部及びウイング部の粘着部を被覆すべく、剥離材が個装材とは別に用いられていた。
　このため、上記包装構造では、生理用ナプキン装着する際には、本体の粘着部及びウイング部の粘着部を保護している剥離材を取り外す手間が必要となるだけでなく、取り外した剥離材がゴミとなって残るという問題があった。更には、剥離材を取り外してから、生理用ショーツ等の下着に取り付けるまでの間、本体の粘着部及ウイング部の粘着部が被覆されていない状態となり、しかもゴミである上記剥離剤も存在するため、装着操作を誤りやすい等、取扱い易さの点で問題があり、これにより本体の粘着部とウイング部の粘着部の相互接着が生じる危険性が高く、結果的に、吸収性物品の有する本来の効果を十分に発揮できない場合が多いという問題もあった。そして、このような問題は、漏れない吸収性物品を提供する上で障害となっていた。
　【０００３】
　そこで、上記の問題点を解消するために、吸収性物品の包装構造について種々改良がなされている。
　例えば、従来のウイング付きの生理用ナプキンの包装構造としては、特表平５−５０６７９９号公報においては、ウイング部に設けられた粘着部を、該ウイング部を生理用ナプキンの表面シート側に折り返し、該粘着部を剥離紙で保護してなる包装構造が提案されている。
　しかしながら、このような包装構造においては、装着時において、ウイング部の粘着部を保護している剥離紙を取り外す手間が必要であると共に、剥離紙がゴミとなって残るため、取扱い易さの点の問題が解消されていない。更には、別部材を必要とするため、製造過程が煩雑となり生産性が悪くなったり、コストも高くなるという問題がある。
　【０００４】
　また、実開平７−３９８２０号公報には、ウイング部をナプキンの表面シート上に折り重ね、包装材の長手方向両端部を生理用ナプキンの長手方向両端部よりも外方に延出させ、一方の端縁において、延出させた包装材を表面シート上に折り重ねて、その外面上に設けられた剥離部により、上記ウイング部の粘着部を保護してなる生理用ナプキンの包装構造が提案されている。
　【０００５】
　しかし、このような包装構造においては、包装材の一方の長手方向端縁部を、これに対応する生理用ナプキンの一方の長手方向端縁部よりも外方に延出させて、ウイング部の粘着部を保護できるようにする必要があるため、大量の包装材が必要となり、コストが上がるという問題があり、更には、包装構造がコンパクトでないため持ち運び等において不便であるという問題があった。
　【０００６】
　従って、本発明の目的は、装着操作が簡便で手間がかからず（取扱いが容易で、生理用ナプキン等の吸収性物品の漏れ防止性能等の効果が損なわれることがなく）更には、包装材と別に剥離紙を設ける必要がなく、生産性が良好で、材料の使用量も少なくてすみ、コンパクトに生理用ナプキン等の吸収性物品を個装できる吸収性物品の包装構造を提供することにある。
　【０００７】
　【課題を解決するための手段】
　本発明者らは、上記課題を解決すべく鋭意検討した結果、生理用ナプキン等の吸収性物品と包装材とを一体に４つ折り以上に折り込んでなる吸収性物品の包装構造が、上記目的を達成しうることを知見した。
　【０００８】
　本発明は、上記知見に基づいてなされたもので、本体及び該本体の左右両側に設けられた左右一対のウイング部を有し、該本体の非肌当接面側に本体粘着部が設けられ且つ該ウイング部の非肌当接面側にウイング粘着部が設けられている吸収性物品と、これを個装する包装材とからなり、該本体粘着部と該包装材の内面とを剥離自在に粘着させてなる吸収性物品の包装構造において、上記ウイング部は、肌当接面側に向けて折り曲げられており、上記吸収性物品は、上記本体粘着部が上記包装材の内面に当接するように該包装材に粘着されており、上記包装材は、その左右両側縁部及び前端縁が、上記本体の両側縁及び前端縁よりも外方に延出していると共に、上記本体の後端縁側
の非肌当接面側
一体に
上記吸収性物品と上記包装材とが上記後端縁側から２回折り重ねられて、
　【０００９】
　また、本発明は、上記包装材に粘着された上記吸収性物品は、その長手方向において、上記ウイング部が折り曲げられているウイング折曲部、該ウイング折曲部の前方に位置する前方部、該ウイング折曲部の後方に位置する後方部、及び該後方部の更に後方に位置する後方端部に区分されており、上記吸収性物品と上記包装材とは、４層構造に折り重ねられている上記の吸収性物品の包装構造を提供するものである。
　更に、本発明は、上記包装材は、その左右両側縁部及び前端縁において封止されている上記の吸収性物品の包装構造を提供するものである。
　【００１０】
　【発明の実施の形態】
　以下、図面を参照して本発明の吸収性物品の包装構造の一形態としての生理用ナプキンの包装構造について詳細に説明する。
　【００１１】
　図１は、本発明の生理用ナプキンの包装構造の１形態を示す斜視図であり、図２は、図１におけるＩＩ−ＩＩ断面図であり、図３は、本形態に用いられる生理用ナプキンの非肌当接面側を示す斜視図であり、図４は、本形態に用いられる包装材の内面側を示す斜視図であり、図５は、生理用ナプキンを包装材に当接させた状態を示す平面図（包装構造の展開図）であり、図６は、生理用ナプキンの後方端部を折り込んだ状態を示す平面図である。更に、図７は、本発明の生理用ナプキンの包装構造の他の形態を示す展開図である。
　【００１２】
　図１及び図２に示す本形態の生理用ナプキンの包装構造１は、本体３及び該本体３の左右両側に設けられた左右一対のウイング部４を有し、該本体３の非肌当接面３２側に本体粘着部３７が設けられ且つ該ウイング部４の非肌当接面３２側にウイング粘着部４１が設けられている生理用ナプキン２（図３参照）と、これを個装する包装材５とからなり、該本体粘着部３７と該包装材５の内面５４とを剥離自在に粘着させてなる。
　【００１３】
　更に詳細に説明すると、上記包装構造１に用いられる上記生理用ナプキン２は、図３に示すように、肌当接面３１が液透過性のシート材により、また、非肌当接面３２が液不透過性のシート材によりそれぞれ形成され、更に上記肌当接面３１と非肌当接面３２との間に液保持性の吸収体（図示せず）を有し、上記本体粘着部３７及び上記ウイング粘着部も通常の粘着剤を用いて形成された、通常の生理用ナプキンである。また、上記ウイング部４は、ナプキンの前端縁側に偏寄して形成されている。
　また、上記本体粘着部３７は、上記非肌当接面３２の略全面に亘って設けられている。ここで、「略全面に亘って設けられている」とは、後述する前方部３３、ウイング折曲部３４、後方部３５及び後方端部の何れの箇所にも設けられていることを意味する。
　【００１４】
　また、上記包装材は、図４に示すように、略長方形状であり、その前端部には包装構造止着用の公知のタブテープ５６が設けられている。また、該包装材は、その内面全面あるいは該本体粘着部と当接した部分及びその周辺が剥離処理されており、剥離性を有するものである。尚、本発明においては、内面全面を剥離処理する必要はなく、その一部、例えば、内面の周縁部以外の部分のみ剥離処理してなるものを用いることもできる。
　【００１５】
　上記包装材の形成材料は、公知のものを特に制限なく用いることができるが、具体的には、厚さ５〜５０μｍのポリプロピレン、ポリエステル、ポリエチレン、ポリビニルアルコール、あるいは不織布や紙、及びこれらの複合材料等の包装材料が挙げられる。
　また、上記剥離処理は、公知の手法を特に制限なく用いて行うことができるが、具体的には、上記包装材５料の内面全面に、剥離処理剤を塗布するか又は剥離テープ、剥離紙、剥離処理した不織布、剥離処理したポリエチレンラミネート紙若しくは剥離処理したポリエチレンフィルムを貼付する等して行うことができる。剥離処理剤あるいは剥離テープ及び剥離紙の剥離剤成分としてはシリコーン樹脂系、フッソ樹脂系、又はオクタデシルイソシアネート系等のものが好ましい。特に、上記剥離処理としては、上記剥離材成分として、シリコーン樹脂系のものを用いて、塗布して加熱乾燥、紫外線照射等で高分子量化するか、スプレーで吹きつけ薄い被膜を形成させる等するのが好ましい。
　さらに、薄いポリオレフィンフィルムあるいはポリエステルフィルムを剥離処理し、上記包装材５料に熱あるいは超音波等により接合したものが、適度な剛性を有しており、開封し易く、また耐熱性に優れているため生産上有利である。
　【００１６】
　而して、図１及び図２に示すように、本形態の包装構造１において、上記ウイング部４は、肌当接面３１側に向けて折り曲げられており、上記生理用ナプキン２は、上記本体粘着部３７が上記包装材５の内面に当接するように該包装材５に粘着されており、上記包装材５は、その左右両側縁部５２，５２及び前端縁５１が、上記本体３の両側縁３ｂ，３ｂ及び前端縁３ａよりも外方に延出していると共に、上記本体３の後端縁３ｃ側
の非肌当接面側
一体に
上記生理用ナプキン２と上記包装材５とが上記後端縁３ｃ側から２回折り重ねられて、
　【００１７】
　更に詳述すると、図２、図５及び図６に示すように、上記包装材５に粘着された上記生理用ナプキン２は、その長手方向において、上記ウイング部４が折り曲げられているウイング折曲部３４、該ウイング折曲部３４の前方に位置する前方部３３、該ウイング折曲部３４の後方に位置する後方部３５、及び該後方部３５の更に後方に位置する後方端部３６に区分されており、上記生理用ナプキン２と上記包装材５とは、４層構造に折り重ねられている。
　【００１８】
　ここで、上記ウイング折曲部３４は、図２〜図４に示すように、上記ウイング部４を折り曲げたことにより該ウイング部４が肌当接面３１上に位置している部分であり、該ウイング折曲部３４の「前方」とは、使用時において該ウイング折曲部３４よりも使用者の前側に位置することを意味し、「後方」とは、使用時において該ウイング折曲部３４よりも使用者の後側に位置することを意味する。従って、上記前方部３３は、使用時に最も使用者の前側に位置する部位であり、上記後方端部３６は、使用時に最も使用者の後ろ側に位置する部位である。
　更に、上記「４層構造」とは、図２に示すように、上記生理用ナプキン２と該生理用ナプキン２の本体粘着部３７を保護している包装材５とを一体で一つの層とみなした際に、該層が４つ折り重なっている状態を意味する。
　【００１９】
　また、図２及び図５に示すように、上記ウイング部４は、肌当接面３１側に向けて折り曲げられているため、肌当接面３１の表面上において、上記ウイング粘着部４１を肌当接面３１側に向けて位置している。
　また、上記非肌当接面３２の略全面が上記包装材５に粘着されて、該非肌当接面３２上の本体粘着部３７全面が該包装材５により保護されている。即ち、上記「略全面」とは、少なくとも上記本体粘着部３７全面が覆われていることを意味する。
　【００２０】
　上記剥離処理部５５ａは、上記包装材５の外面５５のうち、上記後方端部３６が当接された部分の外面に、剥離処理を施すことにより形成されている。
　この際行われる上記剥離処理は、包装時の内面５４に対する剥離処理と同様にして行われるものであり、本形態においては、剥離テープを貼着して上記剥離処理がなされているが、接着剤を介して剥離紙等の剥離片を固定してもよい。
　上記前端縁５１が上記吸収性物品の前端縁３ａよりも外方に延出している延長長さＬ（図５参照）は、０．１〜５ｃｍとするのが好ましい。
　また、上記前端縁５１が延出されていれば、後端縁５３側においては延出されていなくても良く、本実施例においては、該後端縁５３が生理用ナプキン２の後端縁３ｂよりも短くなされている。また、上記包装材５は、その左右両側縁も上記生理用ナプキン２の両側縁よりも外方に延出している。
　【００２１】
　また、上記包装材は、その左右両側縁部５２，５２及び前端縁５１において封止されている。
　左右両側縁部５２においては、ヒートシールにより封止されており、上記前端縁５１においては、上記タブテープ５６により封止されている。また、上記の左右両側縁部５２においては、ヒートシールされているが、開封をより容易にするために、このヒートシールされた部分に沿ってミシン目を設けることもできる。
　【００２２】
　本形態の生理用ナプキン２の包装構造は、上述の如く構成されているので、余分なゴミが生じることがなく、夜用等の大きな生理用ナプキン２においても、コンパクトに包装できるため、包装構造がコンパクトであり、持ち運びも容易である。また、包装構造を開封して生理用ナプキン２を取り出した際には、四つ折りにされた形状が生理用ナプキン２に癖付けられているため、装着時に体に対するフィット性の高い形状で生理用ナプキン２を使用に供することができる。
　更には、後述するように、容易に製造できる構造であるため、生産性が高く、コストも低い。
　【００２３】
　本形態の生理用ナプキンの包装構造１は、次のようにして容易に製造することができる。
　即ち、先ず、図５に示すように、上記ウイング部４を折り曲げた生理用ナプキン２の非肌当接面３２を、予め剥離片を所定位置に接合するなどして剥離処理された上記包装材５に当接させて、生理用ナプキン２の本体粘着部３７を包装材５の内面５４に粘着させる。次いで、図６に示すように、上記後方端部３６を、上記包装材５と一体に、上記後方部３５上に折り重ね、更に、上記後方端部３６が折り重ねられた上記後方部３５を、上記包装材５と一体に、上記ウイング折曲部３４上に折り重ねた後、上記前方部３３を、上記包装材５と一体に、上記後方部３５及び上記後方端部３６が折り重ねられた上記ウイング折曲部３４上に折り重ねる。そして、最終に包装材５の左右両側縁をヒートシールすると同時にカットし、上記タブテープ５６を貼着して、左右両側縁部５２及び前端縁５１を封止することにより、本形態の生理用ナプキンの包装構造が得られる。
　【００２４】
　また、剥離片は、予め包装材５の外面と接合されている必要はなく、下記の如くして包装構造の製造過程において接合することもできる。
　即ち、肌当接面３１上にウイング部４の粘着部４１を保護すると共に、搬送中のウイング折曲部３４の形状を安定にするために、上記剥離片をウイング部４に当接されてウイング部粘着部４１を保護した後、該剥離片の裏面側若しくは上記後方端部３６に当接する包装材５の外面に接着剤を塗布し、該後方端部３６が折り重ねられた上記後方部３５を、上記包装材５と一体に該ウイング折曲部３４上に折り重ねたることにより、接着剤を介して包装材５と上記剥離片とを接合することができる。
　【００２５】
　そして、生理用ナプキン２の使用に際しては、上記タブテープ５６を引き剥がし、上記左右両側縁部５２のヒートシール部を引き剥がし（ミシン目を設けた場合には該ミシン目を引き離して）、上記前方部３３、上記後方部３５、上記後方端部３６の順に開けることにより、包装構造１を開封して、生理用ナプキン２を取り出し、使用に供することができる。
　【００２６】
　次いで、図７に示す本発明の生理用ナプキンの包装構造の他の形態について説明する。
　尚、特に詳述しない点については、上述した図１〜６に示す形態と同様である。
　図７に示す形態の生理用ナプキンの包装構造１は、上記前方部３１よりも更に前方側に前方端部３８が区分されている。そして、生理用ナプキン２と包装材５とを、一体に、後方端部３６、後方部３５、ウイング折曲部３４、前方部３３の順に、前方端部３８上に折り重ねることにより、５層構造になされている。これ以外は、上述した図１〜６に示す形態と同じである。
　【００２７】
　尚、本発明の包装構造は、上述した形態に限定されるものではなく、本発明の趣旨を逸脱しない範囲で種々変形が可能である。
　例えば、上記包装材５は、上記後方端部３６が当接する部分を別の部材により形成したものを用いてもよい。
　また、上記ウイング部４は、生理用ナプキン２の長手方向略中央部に位置していてもよく、この場合、上記「前方」は、ナプキンの製造過程における、ナプキンの流れ方向前方を意味し、「後方」は、ナプキンの製造過程における、ナプキンの流れ方向後方を意味する。
　また、本発明の包装構造は、生理用ナプキン以外にも、失禁パッドなど種々の物品に適用可能である。
　また、上記後方端部側の上記包装材は、吸収性物品の後端縁よりも外方に延出されていてもよい。
　【００２８】
　【発明の効果】
　本発明の吸収性物品の包装構造は、生産性が良好で、材料の使用量も少なくてすみ、コンパクトに生理用ナプキン等の吸収性物品を個装できる構造である。
【図面の簡単な説明】
　【図１】
　図１は、本発明の生理用ナプキンの包装構造の１形態を示す斜視図である。
　【図２】
　図２は、図１におけるＩＩ−ＩＩ断面図である。
　【図３】
　図３は、本形態に用いられる生理用ナプキンの非肌当接面側を示す斜視図である。
　【図４】
　図４は、本形態に用いられる包装材の内面側を示す斜視図である。
　【図５】
　図５は、生理用ナプキンを包装材に当接させた状態を示す平面図（包装構造の展開図）である。
　【図６】
　図６は、生理用ナプキンの後方端部を折り込んだ状態を示す平面図である。
　【図７】
　図７は、本発明の生理用ナプキンの包装構造の他の形態を示す展開図（図５相当図）である。
　【符号の説明】
１　　　　生理用ナプキンの包装構造
２　　　　生理用ナプキン
３　　　　本体
３１　　　肌当接面
３２　　　非肌当接面
３３　　　前方部
３４　　　ウイング折曲部
３５　　　後方部
３６　　　後方端部
３７　　　本体粘着部
４　　　　ウイング部
４１　　　ウイング粘着部
５　　　　包装材
５１　　　前端縁
５２　　　側縁部
５３　　　後端縁
５４　　　内面
５５　　　外面
５５ａ　　後方端部に当接された部分の外面
５６　　　タブテープ